(57)【要約】【課題】測定対象となるぞれぞれの光路の長さが異なる場合でも、短時間でより正確な光損失の測定が可能な光導波路の光損失測定方法を提供する。【解決手段】光路と、前記光路の両端に設けられた光路変換ミラーとを有するミラー付き光路の光損失測定方法であって、前記光路変換ミラー間を所定の距離に保持する第１の工程、一方の前記光路変換ミラーＡに光を入力し、もう一方の光路変換ミラーＢから出力される光を検出することによって光損失を測定する第２の工程とを有し、前記第１の工程において、前記光路のうち、前記一方の光路変換ミラーＡに接続される側の光路Ａと、前記もう一方の光路変換ミラーＢに接続される側の光路Ｂとが平行であり、かつ光路変換ミラーＡ及びＢ間を通る直線と、前記光路Ａ及び前記光路Ｂとがそれぞれ略直角になるように、前記光路の中央部を湾曲させて保持することを特徴とするミラー付き光路の光損失測定方法。【選択図】図１
2017167075.tif 000002
【特許請求の範囲】
【請求項１】
光路と、前記光路の両端に設けられた光路変換ミラーとを有するミラー付き光路の光損失測定方法であって、
前記光路変換ミラー間を所定の距離に保持する第１の工程、
一方の前記光路変換ミラーＡに光を入力し、もう一方の光路変換ミラーＢから出力される光を検出することによって光損失を測定する第２の工程とを有し、
前記第１の工程において、前記光路のうち、前記一方の光路変換ミラーＡに接続される側の光路Ａと、前記もう一方の光路変換ミラーＢに接続される側の光路Ｂとが平行であり、かつ光路変換ミラーＡ及びＢ間を通る直線と、前記光路Ａ及び前記光路Ｂとがそれぞれ略直角になるように、前記光路の中央部を湾曲させて保持することを特徴とするミラー付き光路の光損失測定方法。
【請求項２】
前記光路変換ミラーＡ及びＢが、前記光路Ａ及び光路Ｂに対して４５度の傾斜面であって、
前記第１の工程において、前記一方の光路変換ミラーＡに入力する光の光軸と、前記もう一方の光路変換ミラーＢから出力される光の光軸が平行であり、かつ入力方向と出力方向が同一方向になるように、前記光路の中央部を湾曲させて保持する請求項１に記載のミラー付き光路の光損失測定方法。
【請求項３】
前記光路の少なくとも中央部が、フレキシブル性を有する光ファイバ、フレキシブル性を有する光導波路、又はフレキシブル性を有する光ファイバと光導波路の複合光路である請求項１又は２に記載のミラー付き光路の光損失測定方法。
【請求項４】
前記ミラー付き光路を支持体に固定し、前記光路変換ミラー間を所定の距離に保持する請求項１〜３のいずれか一項に記載のミラー付き光路の光損失測定方法。
【請求項５】
前記支持体が、前記光路変換ミラー間に配置され、前記支持体が、前記光に対して遮光性を有する請求項４に記載のミラー付き光路の光損失測定方法。
【請求項６】
２以上の前記ミラー付き光路が、ともに前記支持体に固定されてなる請求項４又は５に記載のミラー付き光路の光損失測定方法。
【発明の詳細な説明】
【技術分野】
【０００１】
本発明は、ミラー付き光路の光損失の測定方法に関する。
【背景技術】
【０００２】
情報容量の増大に伴い、幹線やアクセス系といった通信分野のみならず、ルータやサーバ装置内の情報処理にも光信号を用いる光インターコネクション技術の開発が進められている。特に、ルータやサーバ装置内のボード間あるいはボード内の短距離信号伝送に光を用いるための光伝送路としては、光ファイバに比べ、配線の自由度が高く、かつ高密度化が可能な光導波路を用いることが望ましく、中でも、加工性や経済性に優れたポリマー材料を用いた光導波路が有望である。このような光導波路の光損失を測定する方法として様々な方法が提案されている。
【０００３】
光導波路の光損失測定方法として、例えば、特許文献１には、検査出光部及び検査受光部と、測定される光導波路を、相対的に移動し光損失測定を行う方法が提案されている。
【先行技術文献】
【特許文献】
【０００４】
【特許文献１】特許第４９７６１１３号公報
【発明の概要】
【発明が解決しようとする課題】
【０００５】
しかしながら、特許文献１に記載の光導波路の検査方法は、多数の光導波路の良品と不良品を選別する検査方法であり、光損失測定方法においては、導波路長が異なる光導波路を測定する場合、その都度検査出光部と検査受光部の位置を調整する必要があり光損失測定に多くの時間が掛かる問題があった。
【０００６】
また、前記特許文献１には、同一長さのサンプルを湾曲させ、サンプル長さを短くして相対移動距離を短くすることで、連続して検査する際に、検査効率が向上する利点が記載されている。この測定方法で測定を行った場合、特許文献１の図５に示されたサンプルの湾曲を見ると、サンプルの右下及び左下においてそれぞれ９０度分、中央上部において１８０度分、合計３６０度分の曲げによる損失が追加されるため、光損失が増加してしまう問題もあった。
【０００７】
本発明は、上記問題に鑑みてなされたものであり、測定対象となるぞれぞれの光路の長さが異なる場合でも、短時間でより正確な光損失の測定が可能な光導波路の光損失測定方法を提供することを目的とする。
【課題を解決するための手段】
【０００８】
本発明は、以下のものに関する。
（１）  光路と、前記光路の両端に設けられた光路変換ミラーとを有するミラー付き光路の光損失測定方法であって、前記光路変換ミラー間を所定の距離に保持する第１の工程、一方の前記光路変換ミラーＡに光を入力し、もう一方の光路変換ミラーＢから出力される光を検出することによって光損失を測定する第２の工程とを有し、前記第１の工程において、前記光路のうち、前記一方の光路変換ミラーＡに接続される側の光路Ａと、前記もう一方の光路変換ミラーＢに接続される側の光路Ｂとが平行であり、かつ光路変換ミラーＡ及びＢ間を通る直線と、前記光路Ａ及び前記光路Ｂとがそれぞれ略直角になるように、前記光路の中央部を湾曲させて保持することを特徴とするミラー付き光路の光損失測定方法。
（２）  前記光路変換ミラーＡ及びＢが、前記光路Ａ及び光路Ｂに対して４５度の傾斜面であって、前記第１の工程において、前記一方の光路変換ミラーＡに入力する光の光軸と、前記もう一方の光路変換ミラーＢから出力される光の光軸が平行であり、かつ入力方向と出力方向が同一方向になるように、前記光路の中央部を湾曲させて保持する（１）に記載のミラー付き光路の光損失測定方法。
（３）  前記光路の少なくとも中央部が、フレキシブル性を有する光ファイバ、フレキシブル性を有する光導波路、又はフレキシブル性を有する光ファイバと光導波路の複合光路である（１）又は（２）に記載のミラー付き光路の光損失測定方法。
（４）  前記ミラー付き光路を支持体に固定し、前記光路変換ミラー間を所定の距離に保持する（１）〜（３）のいずれか一項に記載のミラー付き光路の光損失測定方法。
（５）  前記支持体が、前記光路変換ミラー間に配置され、前記支持体が、前記光に対して遮光性を有する（４）に記載のミラー付き光路の光損失測定方法。
（６）  ２以上の前記ミラー付き光路が、ともに前記支持体に固定されてなる（４）又は（５）に記載のミラー付き光路の光損失測定方法。
【発明の効果】
【０００９】
本発明のミラー付き光路の光損失測定方法は、測定対象となるぞれぞれの光路の長さが異なる場合でも、短時間でより正確な光損失の測定が可能である。
【図面の簡単な説明】
【００１０】
【図１】本発明の第１実施形態に係るミラー付き光路の光損失測定方法の一例を示した（Ａ）支持体上面から見た平面図、及び（Ｂ）支持体側面から見た側面図である。
【図２】本発明の第２実施形態に係るミラー付き光路の光損失測定方法の一例を示した支持体上面から見た平面図である。
【図３】本発明の比較例となるミラー付き光路の光損失測定方法の一例を示した（Ａ）支持体上面から見た平面図、及び（Ｂ）支持体側面から見た側面図である。
【発明を実施するための形態】
【００１１】
本発明のミラー付き光路の光損失測定方法を、図１を用いて説明する。
図１に示すように、本発明のミラー付き光路の光損失測定方法は、光路１と、前記光路１の両端に設けられた光路変換ミラーＡ２、Ｂ２（両端の光路変換ミラーを何れも符号２で示す。）とを有するミラー付き光路１の光損失測定方法であって、光路変換ミラーＡ２、Ｂ２間を所定の距離に保持する第１の工程、一方の光路変換ミラーＡ２に光を入力し、もう一方の光路変換ミラーＢ２から出力される光を検出することによって光損失を測定する第２の工程とを有し、第１の工程において、前記光路１のうち、一方の光路変換ミラーＡ２に接続される側の光路Ａ１と、もう一方の光路変換ミラーＢ２に接続される側の光路Ｂ１（光路ＡとＢを何れも符号１で示す。）とが平行であり、かつ光路変換ミラーＡ２及びＢ２間を通る直線と、光路Ａ１及び光路Ｂ１とがそれぞれ略直角になるように、光路１の中央部を湾曲させて保持することを特徴とするミラー付き光路の光損失測定方法である。
本発明の光損失測定方法を用いることにより、どのような長さのミラー付き光路１であっても、光路変換ミラーＡ２、Ｂ２間の距離を一定に保持することが可能であるため、光損失測定時間を短縮させることが可能となる。
【００１２】
また、光路変換ミラーＡ２、Ｂ２が、光路Ａ１、Ｂ１に対して４５度の傾斜面であって、第１の工程において、一方の光路変換ミラーＡ２に入力する光の光軸と、もう一方の光路変換ミラーＢ２から出力される光の光軸が平行であり、かつ入力方向と出力方向が同一方向になるように、光路１の中央部を湾曲させて保持するのが好ましい。このことにより、光路変換ミラーＡ２、Ｂ２で反射した光が垂直に光路変換されるので、入力される光の最適な入射角度を見つけることが容易になり、光測定時間をより短縮させることが可能となる。
【００１３】
また、光路１の少なくとも中央部が、フレキシブル性を有する光ファイバ、フレキシブル性を有する光導波路、又はフレキシブル性を有する光ファイバと光導波路の複合光路であるのが好ましい。このことにより、中央部で光路１を湾曲させた際の湾曲による損失上昇を抑制することが可能である。
【００１４】
また、ミラー付き光路１を支持体３に固定し、光路変換ミラーＡ２、Ｂ２間を所定の距離に保持するのが好ましい。このことにより、長さの異なるミラー付き光路１でも、所定の距離に保持することが可能となるため、光損失測定時間の短縮になり、振動などによる光路のずれを抑制することが可能となる。
【００１５】
また、支持体３が、光路変換ミラーＡ２、Ｂ２間に配置され、支持体３が、光に対して遮光性を有するのが好ましい。このことにより、一方のミラー付き光路Ａ１に入射される光が、一方のミラー付き光路Ａ１に入射せずに、支持体３に当たった場合でも、支持体３を透過して、直接、もう一方のミラー付き光路Ｂ１側で、受光されることを防ぐことが可能となる。
【００１６】
また、２以上のミラー付き光路１が、ともに支持体３に固定されるのが好ましい。このことにより、ミラー付き光路１を支持体３に取り付ける時間が短縮されるので、光損失測定時間をさらに短縮することが可能となる。
【００１７】
以下、本発明に用いられる各部材等について詳細に説明する。
［光］
本発明において、光とは、ミラー付き光路１の光損失測定を行うために、ミラー付き光路１内を伝搬する光のことである。
本発明において、光の種類は、ミラー付き光路１内を伝搬し光損失を測定することができれば特に限定されないが、不可視光領域のある特定の波長を持つ光であれば照明等の影響を受けることなく光損失を測定することが可能であり、さらにレーザ光のように広がり角が小さい光であれば、ミラー付き光路１内を全反射せずに漏れ出す光が少なくなり、より正確な光損失測定が可能である。
【００１８】
［光路］
本発明において、光路とは、入力された光を伝搬することができれば特に限定されないが、少なくとも中央部に、フレキシブル性を有する光ファイバ、フレキシブル性を有する光導波路、又はフレキシブル性を有する光ファイバと光導波路の複合光路であれば、中央部を湾曲させた際の湾曲による光損失上昇を低減することができるため好ましい。
また、本発明において、光路１のうち、一方の光路変換ミラーＡ２に接続される側の光路Ａ１と、もう一方の光路変換ミラーＢ２に接続される側の光路Ｂ１とが平行、かつ光路変換ミラーＡ２及びＢ２間を通る直線と、光路Ａ１及び光路Ｂ１とが４５度から１３５度の間の角度になるように、光路１の中央部を湾曲させて保持することが、光路１の中央部を湾曲させることによる光損失の上昇を抑えることができるため好ましく、光路１のうち、一方の光路変換ミラーＡ２に接続される側の光路Ａ１と、もう一方の光路変換ミラーＢ２に接続される側の光路Ｂ１とが平行であり、かつ光路変換ミラーＡ２及びＢ２間を通る直線と、光路Ａ１及び光路Ｂ１とが直角になるように、光路１の中央部を湾曲させて保持することが、一方の光路変換ミラーＡ２に入力される光の入射角度の最適化が容易になるため最も好ましい。
【００１９】
［第一の工程］
本発明において、第一の工程は、光路変換ミラーＡ２、Ｂ２間を所定の距離に保持する工程のことを言う。
本発明において、光路変換ミラーＡ２、Ｂ２間を所定の距離に保持する方法は、一定の距離を保持することが可能であれば特に限定されないが、支持体３にミラー付き光路１を固定する方法が、振動等によるミラー付き光路１のずれを抑制することができるため最も好ましい。
【００２０】
［第二の工程］
本発明において、第二の工程は、一方の光路変換ミラーＡ２に光を入力し、もう一方の光路変換ミラーＢ２から出力される光を検出することによって光損失を測定する工程のことを言う。
【００２１】
［光路変換ミラー］
本発明において、光路変換ミラー２とは、光路１を伝搬する光の伝搬方向を変えるために、光路１にダイシング加工などによって作製される一定の角度を持つ傾斜面のことである。
本発明において、光路変換ミラー２の角度は光を反射し、ミラー付き光路１を伝搬させることが可能であれば特に限定されないが、入力される光をより多く光路変換を行う観点から４０度から５０度の間であることが好ましく、４３度から４７度であれば光路変換された光の角度がより垂直に近づくため損失測定が容易になるためよりこの好ましく、角度が光路に対して４５度であれば光路変換ミラー２で反射した光が垂直に光路変換されるので、入力される光の最適な入射角度を見つけることが容易になり光測定時間がより短縮されるためさらに好ましい。
【００２２】
［支持体］
本発明において、支持体３とは、光損失測定を行うミラー付き光路１を固定する構造体のことである。
本発明において、支持体３の大きさ、形状は、本発明の光損失測定方法を実施できる大きさ、形状であれば特に限定されないが、ミラー付光路の少なくとも光路変換ミラーを固定することが可能な大きさの平滑面を有し、前記平滑面が入射される光及び出射される光を受けとる受光器に対して垂直であることが好ましい。
また、支持体３の材質は、光損失測定を行うミラー付き光路１を固定することが可能である材質であれば特に限定されないが、入力される光がミラー付き光路１を経由せず直接出力側に伝搬されることを防ぐために、光に対して遮光性を有する材質であることが好ましく、ミラー付き光路１の汚染を防ぐため、支持体３への固定時に異物が発生しない材質であることがより好ましく、支持体３の作製時の加工が容易なため金属材料であることがさらに好ましい。
【００２３】
［光損失測定方法］
本発明において、光損失測定方法は、ミラー付光路１の入力される光の光量及びミラー付光路１を伝搬して出力された光の光量を測定することができれば特に限定されないが、測定を正確に行う観点から、光の入射側及び出射側に６軸ステージを設置し、光源と受光器、もしくは光源から照射された光を伝搬させる光ファイバＡ４（一方の光路変換ミラーＡ２側）と出力された光を受光器に伝搬させる光ファイバＢ４（もう一方の光路変換ミラーＢ２側）の位置を制御することにより測定を行うことがより好ましく、測定時間を短縮させる観点から、６軸ステージの制御をＰＣで行い、自動調芯により受光量が最も大きくなる位置を自動で見つける機能を持った装置で測定を行うことがさらに好ましい。
【００２４】
［固定方法］
本発明において、ミラー付き光路１の支持体３への固定方法は、振動等によってミラー付光路１が移動しないような固定方法であれば特に限定されないが、光損失測定後のミラー付き光路１の取り外しの観点から、両面テープにより支持体３とミラー付き光路１を固定することが好ましい。
【００２５】
［光損失測定時間］
本発明において、光損失測定時間とは、ミラー付き光路１の光損失測定を行う装置に設置し、光損失測定を行い、ミラー付き光路１を取り外すまでに経過した時間のことを言う。
【実施例】
【００２６】
以下、本発明を実施例によりさらに具体的に説明するが、本発明はその要旨を越えない限り、以下の実施例に限定されない。
（実施例１）
［ミラー付き光路の支持体への取り付け］
ミラー付き光路１として、長さ５０ｃｍのフレキシブル性を持った１２ｃｈ（チャンネル）テープファイバ（コア径５０μｍ）の両端に接着剤を使用してクラッド層、１２ｃｈのコア層及び光路変換ミラーを有するポリマー光導波路（導波路長１０ｍｍ、コア幅５０μｍ、コア層厚み４５μｍ、クラッド層厚み１２５μｍ、光路変換ミラー角度４５度)を接続した１２ｃｈ複合基板を用いた。
ステンレス製の支持体３の側面に、両面テープ（ニチバン株式会社製 ＮＷ−１５）を貼り付け、光路１のうち、一方の光路変換ミラーＡ２に接続される側の光路Ａ１と、もう一方の光路変換ミラーＢ２に接続される側の光路Ｂ１とが平行であり、かつ光路変換ミラーＡ２及びＢ２間を通る直線と、光路Ａ１及び光路Ｂ１とがそれぞれ直角になるように、光路１の中央部を湾曲させて保持させた。
【００２７】
［光損失測定］
本実施例では株式会社モリテックス製の光損失測定装置を用いて光損失の測定を行った（図１参照）。
初めに一方の光路変換ミラーＡ２側に配置された先端ガラスブロック付光ファイバＡ４（コア径５０μｍ）から、レーザ光源（ＥＸＦＯ社製  ＦＬＳ−３００）より伝搬された光を照射し、もう一方の光路変換ミラーＢ２側に配置された先端ガラスブロック付光ファイバＢ４（コア径６２．５μｍ）を、一方の先端ガラスブロック付光ファイバＡ４より２０μｍ離れた位置に近づけ、もう一方の先端ガラスブロック付光ファイバＢ４に最も多くの光が出力されるように、２つの先端ガラスブロック付光ファイバＡ４、Ｂ４の位置を自動で決定する自動調芯を行うことによって受光量（１）（ｄＢｍ）を測定する。
次に２つの先端ガラスブロック付光ファイバＡ４、Ｂ４間の距離を遠ざけて、２つの先端ガラスブロック付光ファイバＡ４、Ｂ４間に、１２ｃｈ複合基板を固定した支持体３をねじにより固定する。
その後、２つの先端ガラスブロック付光ファイバＡ４、Ｂ４間の距離を、光路変換ミラーＡ２、Ｂ２から２０μｍ離れた位置にそれぞれ近づけ、もう一方の先端ガラスブロック付光ファイバＡ４に最も多くの光が出力されるように、自動調芯を行うことによって１ｃｈ分の受光量（２）（ｄＢｍ）を測定する。
自動調芯を１２ｃｈすべてに対して行い受光量（２）の絶対値から受光量（１）の絶対値を引くことによって、１２ｃｈ複合基板のそれぞれのｃｈの光損失（ｄＢ）を算出することができる。
ミラー付き光路１である１２ｃｈ複合基板の光損失の平均値は４．０７ｄＢ、光損失測定に要した時間は、２５分であった。
【００２８】
（実施例２）
実施例１において、ミラー付き光路１である１２ｃｈ複合基板を、支持体３に２つ固定した以外は同様の方法で光損失測定を行った（図２参照）。
その結果、ミラー付き光路１である１２ｃｈ複合基板２つの光損失測定に要した時間は４０分であった。
【００２９】
（比較例１）
実施例１において、ミラー付き光路１である１２ｃｈ複合基板を、フレキシブル性を有しない１２ｃｈテープファイバ（コア径５０μｍ）で接続し、１２ｃｈテープファイバを湾曲させ、光路変換ミラーＡ２及びＢ２間を通る直線と、光路Ａ１及び光路Ｂ１とがそれぞれ平行になるように固定した以外は同様の方法で光損失測定を行った（図３参照）。
その結果、ミラー付き光路１である１２ｃｈ複合基板の光損失の平均値は５．２３ｄＢ、光損失測定に要した時間は５０分であった。
【００３０】
（比較例２）
実施例１において、ミラー付光路１を固定する支持体３を、遮光性を有しない透明アクリル製の支持体に変更した以外は同様の方法で光損失を行った。
その結果、光損失の平均値は３．９５ｄＢとなった。
【００３１】
（比較例３）
実施例１において、支持体３を使用せずにミラー付き光路１を吊り下げる方法で光損失の測定を行った。
その結果、振動等によりミラー付き光路１の位置が移動してしまうため、光損失測定に要した時間は、３０分であった。
【産業上の利用可能性】
【００３２】
本発明のミラー付き光路の光損失測定方法は、光路変換ミラー間の距離を一定の距離に保持することで光損失測定時間を短縮することが可能な方法で、ミラー付き光路の光導通検査に適用可能である。
【符号の説明】
【００３３】
１．ミラー付き光路又は光路
２．光路変換ミラー
３．支持体
４．先端ガラスブロック付光ファイバ又は光ファイバ
【図１】
2017167075.tif 000003
【図２】
2017167075.tif 000004
【図３】
2017167075.tif 000005